(57)【要約】【課題】  ＬＡＮなどのネットワークに接続可能な各種のネットワーク装置自体又はその他の外部装置が保有する情報を相互利用することが可能なネットワーク装置及びネットワーク装置の情報提供方法を提供する。【解決手段】  機器状態や動作ログなどの機器管理を行うための情報を装置外部に提供する機能を持った各種のネットワーク装置において、前記情報を、ＲＤＦ等の広く一般に公開された仕様に従ったＸＭＬ形式のフォーマットによって装置外部に提供する機能を有するネットワーク装置とする。【選択図】  図１
2005209056.tif 000002
【特許請求の範囲】
【請求項１】
機器状態や動作ログなどの機器管理を行うための情報を装置外部に提供する機能を持った各種のネットワーク装置であって、
前記情報を、ＲＤＦ等の広く一般に公開された仕様に従ったＸＭＬ形式のフォーマットによって装置外部に提供する機能を持つことを特徴とするネットワーク装置。
【請求項２】
前記情報をＸＭＬ形式で生成し、前記生成したＸＭＬ形式の情報をＨＴＭＬ形式に変換するためのＸＳＬＴファイルを用いて、ＸＳＬＴプロセッシングを装置内部で実施し、一般のＷｅｂブラウザ向けのＨＴＭＬ形式で装置外部に提供する機能を持ったネットワーク装置において、
前記ＸＭＬ形式の情報を、別のＸＭＬ形式のフォーマットに変換するためのＸＳＬＴファイルを用いて、ＸＳＬＴプロセッシングを装置内部で実施し、前記ＲＤＦ等の広く一般に公開された仕様に従ったＸＭＬ形式のフォーマットに変換して装置外部に提供する機能を持つことを特徴とする請求項１記載のネットワーク装置。
【請求項３】
装置外部に提供することのできるＸＭＬ形式のフォーマットが、ＲＳＳ（RDF Site Summary）の各種バージョン、ＸＦｏｒｍｓ、及び、その他のＲＤＦ等の広く一般に公開された仕様に従ったＸＭＬ形式のフォーマットのいずれか一つ以上を含むことを特徴とする請求項１又は２に記載のネットワーク装置。
【請求項４】
機器状態や動作ログなどの機器管理を行うための情報を装置外部に提供する機能を持った各種のネットワーク装置の情報提供方法であって、前記情報を、ＲＤＦ等の広く一般に公開された仕様に従ったＸＭＬ形式のフォーマットによって装置外部に提供することを特徴とするネットワーク装置の情報提供方法。
【請求項５】
前記情報をＸＭＬ形式で生成し、前記生成したＸＭＬ形式の情報をＨＴＭＬ形式に変換するためのＸＳＬＴファイルを用いて、ＸＳＬＴプロセッシングを装置内部で実施し、一般のＷｅｂブラウザ向けのＨＴＭＬ形式で装置外部に提供する機能を持ったネットワーク装置の情報提供方法において、前記ＸＭＬ形式の情報を、別のＸＭＬ形式のフォーマットに変換するためのＸＳＬＴファイルを用いて、ＸＳＬＴプロセッシングを装置内部で実施し、前記ＲＤＦ等の広く一般に公開された仕様に従ったＸＭＬ形式のフォーマットに変換して装置外部に提供することを特徴とする請求項４記載のネットワーク装置の情報提供方法。
【請求項６】
装置外部に提供することのできるＸＭＬ形式のフォーマットが、ＲＳＳ（RDF Site Summary）の各種バージョン、ＸＦｏｒｍｓ、及び、その他のＲＤＦ等の広く一般に公開された仕様に従ったＸＭＬ形式のフォーマットのいずれか一つ以上を含むことを特徴とする請求項４又は５に記載のネットワーク装置の情報提供方法。
【発明の詳細な説明】
【技術分野】
【０００１】
本発明は、ＬＡＮなどのネットワークに接続可能なプリンタ、ファクシミリ、ＭＦＰ、文書管理サーバ等の各種のネットワーク装置及びネットワーク装置の情報提供方法に関する。
【背景技術】
【０００２】
特許文献１に示されるように、各種の機器、特にプリンタ、ファクシミリ装置、複写機等の事務機器には、ＬＥＤやＬＣＤ等の発光素子、様々な種類の押しボタン、切り替えスイッチ等からなる、装置に付随したユーザーインターフェース機能を持つとともに、機器内部にＷｅｂアクセス機構を備え、Ｗｅｂ技術を用いた、強化拡張されたユーザーインターフェース機能を備えているものがある。
【０００３】
このＷｅｂ技術を用いたユーザーインターフェース機能は、機器内部に既に存在しているプロセッサやメモリ、入出力回路等を用いて実現されるため、Ｗｅｂサーバ機能に必要な余分なコスト及び空間を必要としない利点がある。そのため、現在では多くのプリンタやファクシミリ装置、複写機等の事務機器が、装置自体又は外部の装置が保有する情報を、一般のＷｅｂブラウザを対象としたＷｅｂページとして利用者に提供する機能を有している。
【０００４】
前記Ｗｅｂページは、通常ＨＴＭＬ形式で記述されているが、ＨＴＭＬには情報そのものだけでなく文字サイズやセンタリングといったレイアウト情報も記述されており、そのフォーマットはＷｅｂページを提供する装置によって全く異なるため、異種装置間での情報の相互利用が極めて困難である。
【０００５】
一方、企業等においては、管理者が専用の管理ソフトウェアを用いて、プリンタやファクシミリ装置、複写機等、数多く導入された事務機器等を一括管理したいという要望も強く、ＳＮＭＰやＸＭＬ／ＳＯＡＰ等の技術を用いて、装置自体又は外部の装置が保有する情報を外部に提供する機能を有する機器もある。装置の管理を行う機能を提供する手段としてＳＯＡＰを用いたものはＷｅｂサービスとも呼ばれ、事務機器等に限らず様々な用途で利用されている技術である。
【０００６】
Ｗｅｂサービスは一般的に、ある機器が他の機器に対してサービスを提供するものなので、その単位は細かく、種類が多く用意される。従って、Ｗｅｂサービスを利用する側は、利用するサービスの組み合わせ次第で様々な処理を実現させるソフトウェアを開発することができる。
【０００７】
他方、Ｗｅｂサービスのインターフェース仕様はＷｅｂサービスを提供する側が自由に定義することができるため、Ｗｅｂサービスを提供する装置の種類によって互換性のない形式となる。そのため、異種の装置に対応したクライアントソフトウェア、又は、異種の装置にまたがってＷｅｂサービスを利用するクライアントソフトウェアを開発することは容易ではない。
【０００８】
前記のような問題を解決する手段の一つとして、ＲＤＦ（Resource Description Framework）やＲＳＳ（RDF Site Summary）と呼ばれるＸＭＬ形式のフォーマットの仕様が策定され、広く一般に公開されている。これらは、情報をメタデータとして記述するためのメカニズムであり、異種装置間での情報の相互利用が容易になる。
【０００９】
その他、特許文献２には、ＸＭＬドキュメント内にスタイルシートを動的に選択してコンテンツを変換するコンテンツ変換処理装置、スタイルシート自動選択方法、及び、そのプログラムに関する発明が開示されている。また、特許文献３には、出力装置に応じたコンテンツの生成に関する発明が開示されている。
【特許文献１】特開平１０−１４９２７０号公報
【特許文献２】特開２００３−１３１９３０号公報
【特許文献３】特開２００２−３１２２８０号公報
【発明の開示】
【発明が解決しようとする課題】
【００１０】
しかし、上述のＲＤＦやＲＳＳは、ＸＭＬ形式のフォーマットで、通常のＷｅｂページで用いられるＨＴＭＬ形式のデータとは異なる構造をしている。Ｗｅｂサービスで用いられるＳＯＡＰのデータはＸＭＬ形式のフォーマットではあるが、やはりＲＤＦやＲＳＳとは異なったフォーマットである。このため、Ｗｅｂ技術を用いて機器を管理するために、Ｗｅｂブラウザを対象としたＷｅｂページを提供する機能と、Ｗｅｂサービスクライアントソフトウェアを対象としたＳＯＡＰによる通信機能と、ＲＤＦやＲＳＳ等のフォーマットで情報を提供する機能を用意するためには、それぞれを全く別々に設計・実装しなければならないという問題がある。
【００１１】
また、上述したような装置において、ＲＤＦ等の広く一般に公開された仕様に従ったＸＭＬ形式のフォーマットで情報を提供する機能を有していれば、同じフォーマットで情報を提供する機能を有する異種装置間での情報の相互利用が容易になるが、そのフォーマットを理解するクライアントソフトウェアが全く存在しないか、利用者の目的にあったクライアントソフトウェアが存在しない場合には、そのためのクライアントソフトウェアを開発しなければならないという問題がある。
【００１２】
従って、本発明は上記のような問題点に鑑み、ＬＡＮなどのネットワークに接続可能なプリンタ、ファクシミリ、ＭＦＰ、文書管理サーバ等の各種のネットワーク装置自体又はその他の外部装置が保有する情報を相互利用することが可能なネットワーク装置及びネットワーク装置の情報提供方法を提供することを目的とする。
【課題を解決するための手段】
【００１３】
請求項１記載の発明は、機器状態や動作ログなどの機器管理を行うための情報を装置外部に提供する機能を持った各種のネットワーク装置であって、前記情報を、ＲＤＦ等の広く一般に公開された仕様に従ったＸＭＬ形式のフォーマットによって装置外部に提供する機能を持つネットワーク装置としたことを特徴とする。
【００１４】
請求項２記載の発明は、前記情報をＸＭＬ形式で生成し、前記生成したＸＭＬ形式の情報をＨＴＭＬ形式に変換するためのＸＳＬＴファイルを用いて、ＸＳＬＴプロセッシングを装置内部で実施し、一般のＷｅｂブラウザ向けのＨＴＭＬ形式で装置外部に提供する機能を持ったネットワーク装置において、前記ＸＭＬ形式の情報を、別のＸＭＬ形式のフォーマットに変換するためのＸＳＬＴファイルを用いて、ＸＳＬＴプロセッシングを装置内部で実施し、前記ＲＤＦ等の広く一般に公開された仕様に従ったＸＭＬ形式のフォーマットに変換して装置外部に提供する請求項１記載のネットワーク装置としたことを特徴とする。
【００１５】
請求項３記載の発明は、装置外部に提供することのできるＸＭＬ形式のフォーマットが、ＲＳＳ（RDF Site Summary）の各種バージョン、ＸＦｏｒｍｓ、及び、その他のＲＤＦ等の広く一般に公開された仕様に従ったＸＭＬ形式のフォーマットのいずれか一つ以上を含む請求項１又は２に記載のネットワーク装置としたことを特徴とする。
【００１６】
請求項４記載の発明は、機器状態や動作ログなどの機器管理を行うための情報を装置外部に提供する機能を持った各種のネットワーク装置の情報提供方法であって、前記情報を、ＲＤＦ等の広く一般に公開された仕様に従ったＸＭＬ形式のフォーマットによって装置外部に提供するネットワーク装置の情報提供方法としたことを特徴とする。
【００１７】
請求項５記載の発明は、前記情報をＸＭＬ形式で生成し、前記生成したＸＭＬ形式の情報をＨＴＭＬ形式に変換するためのＸＳＬＴファイルを用いて、ＸＳＬＴプロセッシングを装置内部で実施し、一般のＷｅｂブラウザ向けのＨＴＭＬ形式で装置外部に提供する機能を持ったネットワーク装置の情報提供方法であって、前記ＸＭＬ形式の情報を、別のＸＭＬ形式のフォーマットに変換するためのＸＳＬＴファイルを用いて、ＸＳＬＴプロセッシングを装置内部で実施し、前記ＲＤＦ等の広く一般に公開された仕様に従ったＸＭＬ形式のフォーマットに変換して装置外部に提供する請求項４記載のネットワーク装置の情報提供方法としたことを特徴とする。
【００１８】
請求項６記載の発明は、装置外部に提供することのできるＸＭＬ形式のフォーマットが、ＲＳＳ（RDF Site Summary）の各種バージョン、ＸＦｏｒｍｓ、及び、その他のＲＤＦ等の広く一般に公開された仕様に従ったＸＭＬ形式のフォーマットのいずれか一つ以上を含む請求項１又は２に記載のネットワーク装置の情報提供方法としたことを特徴とする。
【発明の効果】
【００１９】
本発明によれば、ネットワーク装置が、機器管理を行うための情報を、ＲＤＦ等の広く一般に公開された仕様に従ったＸＭＬ形式のフォーマットによって装置外部に提供する機能を持つため、同じフォーマットで情報を提供する異種装置間での情報の相互利用が容易になる。
【００２０】
また、本発明によれば、ネットワーク装置が利用者に提供する情報そのものは、利用者が要求するＨＴＭＬ形式又はＸＭＬ形式のフォーマットとは独立したＸＭＬ形式のフォーマットで生成し、該装置内部でＸＳＬＴプロセッシングを行うことによって利用者が要求するフォーマットに変換する手法を有するため、各フォーマットに対応したＸＳＬＴファイルを作成するだけで、必要なフォーマットで利用者に情報を提供することができる。すなわち、様々なＨＴＭＬ形式又はＸＭＬ形式のフォーマットに対応することがきわめて容易であり、新しいフォーマットで情報を提供する必要が生じた場合でも、そのフォーマット用のＸＳＬＴファイルを作成するだけで対応することが可能になる。
【００２１】
また、本発明によれば、ＲＤＦやＲＳＳは仕様が公開されたＸＭＬ形式のフォーマットであり、広く一般に利用されている規格である。そのため、特にＲＳＳにおいてはＲＳＳリーダー、ＲＳＳティッカーなどと呼ばれる各種のクライアントソフトウェアが多数存在している。そのため、利用者はそれら既存のクライアントソフトウェアの中から、利用者自身の目的に合致したものを自由に選択することができる。また、ＲＳＳの構文規約は平易であるため、必要であれば利用者自身がクライアントソフトウェアを作成することも容易である。
【００２２】
また、ＸＦｏｒｍｓも仕様が公開されたＸＭＬ形式の、新しいフォーマットの一種であり、今後、各種のクライアントソフトウェアが出現して、利用者はそれらの中から利用者自身の目的に合致したものを自由に選択することができるようになる可能性がある。ところで、ＲＳＳにはフォーマットの異なるバージョンがいくつか存在し、それぞれの間で互換性がないために、特定のバージョンのＲＳＳフォーマットしか扱えないＲＳＳクライアントソフトウェアが存在する。また、現在ではＸＦｏｒｍｓを扱うことのできるクライアントソフトウェアはほとんど存在しない。そのため、これらの全て又はいくつか複数のフォーマットをサポートすることで、利用者は利用者自身が使用するクライアントソフトウェアの仕様に応じて、必要なフォーマットを該装置に要求することができる。
【発明を実施するための最良の形態】
【００２３】
機器状態や動作ログなどの機器管理を行うための情報を装置外部に提供する機能を持った各種のネットワーク装置において、前記情報を、ＲＤＦ等の広く一般に公開された仕様に従ったＸＭＬ形式のフォーマットによって装置外部に提供する機能を有するネットワーク装置とする。これにより、同様のフォーマットで情報を提供する異種装置間において、前記情報を相互利用することが容易となる。
【実施例】
【００２４】
本発明に係る実施例を添付図面を参照しながら以下に詳細に説明する。図１は、本実施例におけるウェブ技術を用いた機器管理機構を有するネットワーク装置の構成ブロック図である。ネットワーク装置１０は、当該装置の制御等を行うためのプロセッサ１０１、ワークメモリ１０２、制御プログラム等を記憶している記憶装置１０３、一組の装置特有のハードウェア１０４、ＬＡＮ回線１０７等との接続のための入出力回路１０５、ハードディスクドライブのような大容量記憶装置１０６とを備えている。
【００２５】
プロセッサ１０１は、ネットワーク装置１０に特有の機能を、装置固有のハードウェア１０４と組み合わせて実行する。プロセッサ１０１は、ネットワーク装置１０においてウェブサーバ機能を実行するためにも使用される。ＬＡＮ回線１０７には利用者が操作しているＰＣ１０８が複数台接続されており、利用者はそれを通じてネットワーク装置１０に各種の指示を行うことができる。
【００２６】
図２は、図１に示す本実施例のネットワーク装置におけるソフトウェアの構成図である。ネットワーク装置１０を構成するソフトウェア２０は、コピー機能を実現するためのコピーアプリ２０１、プリンタ機能を実現するためのプリンタアプリ２０２、ファクス機能を実現するためのファクスアプリ２０３、装置の利用者が利用者自身のＰＣからＷｅｂブラウザ、ＳＯＡＰクライアントソフトウェア、又は、ＲＳＳリーダー等のクライアントソフトウェアを用いて装置の管理を行うことができるようにＨＴＭＬ又はＸＭＬ形式のインターフェース機能を実現するＷｅｂアプリ２０４等のアプリケーションからなるアプリケーション層と、システムサービス２１１、エンジンサービス２１２、メモリサービス２１３、ファクスサービス２１４、ネットワークサービス２１５等のサービスからなるサービス層、及び、アプリケーション層にもサービス層にも属さないＸＳＬＴプロセッサ２２１とから構成されている。
【００２７】
各サービスは、ハードウェア２１を管理して各アプリケーションにそれぞれの機能を提供するものである。システムサービス２１１は、装置全体（操作パネルを含む）の管理を、エンジンサービス２１２は、画像読み込み装置（スキャナ）及び画像出力装置（プロッタ）の管理を、メモリサービス２１３は、記憶装置の管理を、ファクスサービス２１４は、ファクス装置の管理を、ネットワークサービス２１５は、入出力回路の管理をそれぞれ行う。
【００２８】
コピーアプリ２０１、プリンタアプリ２０２、ファクスアプリ２０３の各アプリケーションは、各サービスを介してハードウェア２１の機能を利用し、装置の操作パネルにおけるユーザーインターフェースを利用者に提供する。Ｗｅｂアプリ２０４は、各サービスを介してハードウェア２１の機能を利用し、ＸＳＬＴプロセッサ２２１及びネットワークサービス２１５を介してネットワーク上のＰＣ等のクライアント機器で動作するソフトウェアに対して、トナー残量やエラー情報などの機器状態や、プリンタのジョブ履歴やファクスの通信履歴といった動作ログなどの情報を提供する。
【００２９】
ＸＳＬＴプロセッサ２２１は、処理対象のＸＭＬデータにＸＳＬＴファイルを掛け合わせてＸＭＬのフォーマットを変換する機能を持ち、ここではＷｅｂアプリ２０４が出力するＸＭＬデータと、予め機器内部に保持しているＸＳＬＴファイルを掛け合わせて、利用者が要求するフォーマットのＨＴＭＬ又はＸＭＬ形式のフォーマットのデータに変換する処理を行う。
【００３０】
図３は、ネットワーク装置１０がクライアントＰＣ１０８からのリクエストを受けて、クライアントＰＣ１０８にレスポンスを返す際の動作を示すブロック図である。Ｗｅｂアプリ３１２は、サービス層３１１から必要な情報を取得し、ＸＭＬ形式のデータを生成してＸＳＬＴプロセッサ３１４に渡す。このときＷｅｂアプリ３１２は、クライアントＰＣ３２からのリクエストに含まれる要求データのフォーマットの種類を解析し、それに応じたＸＳＬＴファイルを使ってＸＳＬＴプロセッシングを行うように、ＸＳＬＴプロセッサ３１４に対して指示する。ＸＳＬＴプロセッサ３１４は、Ｗｅｂアプリ３１２からの指示によってＸＭＬデータとＸＳＬＴファイルを掛け合わせ、クライアントＰＣ３２からのリクエストに応じたフォーマットのＨＴＭＬ又はＸＭＬ形式のデータを生成して、クライアントＰＣ３２にレスポンスデータとして送信するようにネットワークサービス３１５に指示する。
【００３１】
図４は、ネットワーク装置１０がクライアントＰＣ１０８からのリクエストを受けて、クライアントＰＣ１０８にレスポンスを返す際の、Ｗｅｂアプリ３１２及びＸＳＬＴプロセッサ３１４の動作を示すフローチャートである。Ｗｅｂアプリ３１２は、クライアントＰＣ３２からのリクエストを受けると、その要求に応えるために必要な情報を、ＲＤＦで規定されたフォーマットに準拠したＸＭＬ形式のデータで生成する（Ｓ４０１）。ここで、このＸＭＬ形式のデータは、前記のようにＲＤＦで規定されたフォーマットに準拠したものであってもよいし、ＲＳＳのいずれかのバージョンのフォーマットであってもよいし、ＸＦｏｒｍｓのフォーマットであってもよいし、又は、全く独自のＸＭＬフォーマットであってもよい。
【００３２】
次に、Ｗｅｂアプリ３１２は、クライアントＰＣ３２からのリクエストに含まれる要求データのフォーマットの種類を解析する（Ｓ４０２）。フォーマットの種類は、リクエストＵＲＩ（Uniform Resource Identifier）のパスの一部に記述される形式でもよいし、ＧＥＴやＰＯＳＴといったＨＴＴＰのメソッドの引数として記述される形式でもよい。図５にリクエストＵＲＩの記述の例を示す。
【００３３】
要求データのフォーマットがＷｅｂブラウザ向けのＨＴＭＬ形式であった場合（Ｓ４０３）には、ＸＳＬＴプロセッサ３１４に対してＷｅｂページ用ＸＳＬＴファイルを使ってＸＳＬＴプロセッシングを行うように指示する（Ｓ４０９）。同様に、クライアントＰＣ３２からリクエストされたフォーマットが、ＲＳＳ０．９のフォーマットであった場合（Ｓ４０４）には、ＲＳＳ０．９用ＸＳＬＴファイルを、ＲＳＳ１．０のフォーマットのデータを要求するものであった場合（Ｓ４０５）には、ＲＳＳ１．０用ＸＳＬＴファイルを、ＸＦｏｒｍｓのフォーマットのデータを要求するものであった場合（Ｓ４０６）には、ＸＦｏｒｍｓ用ＸＳＬＴファイルを使ってＸＳＬＴプロセッシングを行うように指示する（Ｓ４１０〜Ｓ４１２）。
【００３４】
クライアントＰＣ３２からリクエストされたフォーマットが、Ｓ４０１にてＷｅｂアプリ３１２が生成したＸＭＬフォーマットそのものである場合（Ｓ４０７）には、入力されたＸＭＬをそのまま出力するようなＸＳＬＴファイルを用いてＸＳＬＴプロセッシングを行うように指示する（Ｓ４１３）。ここで、わざわざ入力されたＸＭＬをそのまま出力するようなＸＳＬＴファイルを用いてＸＳＬＴプロセッシングを行う理由は、他のフォーマットの場合と処理を共通化したいからであり、共通化する必要がなければＸＳＬＴプロセッシングを行わずにそのままクライアントＰＣ３２に送信してもよい。
【００３５】
クライアントＰＣ３２からリクエストされたフォーマットが、Ｗｅｂアプリ３１２がサポートしている前記のいずれかのフォーマットであった場合（Ｓ４０３〜Ｓ４０７）は、次に、ＸＳＬＴプロセッシングを行ってクライアントＰＣ３２からリクエストされたフォーマットに変換された結果を、クライアントＰＣ３２にレスポンスとして送信する（Ｓ４１４）。
【００３６】
クライアントＰＣ３２からリクエストされたフォーマットが、Ｗｅｂアプリ３１２がサポートしている前記のいずれのフォーマットでもない場合（Ｓ４０８）は、ＨＴＴＰのレスポンスのステータスコードにエラーを示すコードを設定してレスポンスを送信する（Ｓ４１５）。
【図面の簡単な説明】
【００３７】
【図１】本実施例におけるウェブ技術を用いた機器管理機構を有するネットワーク装置の構成ブロック図である。
【図２】本実施例のネットワーク装置におけるソフトウェアの構成図である。
【図３】本実施例のネットワーク装置がクライアントＰＣからのリクエストを受けて、クライアントＰＣにレスポンスを返す際の動作を示すブロック図である。
【図４】本実施例のネットワーク装置がクライアントＰＣからのリクエストを受けて、クライアントＰＣにレスポンスを返す際の、Ｗｅｂアプリ及びＸＳＬＴプロセッサの動作を示すフローチャートである。
【図５】本実施例のネットワーク装置がクライアントＰＣからのリクエストを受ける際の、リクエストＵＲＩの記述例を示した図である。
【符号の説明】
【００３８】
１０    ネットワーク装置
２０    ソフトウェア
２１    ハードウェア
３２    クライアントＰＣ
１０１    プロセッサ
１０２    ワークメモリ
１０３    記憶装置（フラッシュＲＯＭ）
１０４    装置特有のハードウェア
１０５    入出力回路
１０６    大容量記憶装置
１０７    ＬＡＮ回線
１０８    ＰＣ
２０１    コピーアプリ
２０２    プリンタアプリ
２０３    ファックスアプリ
２０４    Ｗｅｂアプリ
２１１    システムサービス
２１２    エンジンサービス
２１３    メモリサービス
２１４    ファックスサービス
２１５    ネットワークサービス
２２１    ＸＳＬＴプロセッサ
３１１    サービス層
３１２    Ｗｅｂアプリ
３１３    ＸＳＬＴファイル
３１４    ＸＳＬＴプロセッサ
３１５    ネットワークサービス
【図１】
2005209056.tif 000003
【図２】
2005209056.tif 000004
【図３】
2005209056.tif 000005
【図４】
2005209056.tif 000006
【図５】
2005209056.tif 000007